(57)【特許請求の範囲】
【請求項１】
トルクヒンジ（３）のヒンジ軸（４）を水平な状態として、パチンコ機間の設置枠（２）にトルクヒンジ（３）の取付けベース（５）を取付けるとともに、トルクヒンジ（３）のブラケット（６）に分煙ボード（７）の上部を垂直な状態として取付け、トルクヒンジ（３）の下方で設置枠（２）に分煙ボード（７）の下端縁部分に係り合うストッパ（８）を取付け、ストッパ（８）に分煙ボード（７）の下端縁部分を係り合わせて、パチンコ機の間で分煙ボード（７）を垂直方向に保持し、パチンコ機の入れ替えの際に、ヒンジ軸（４）を中心として分煙ボード（７）を上方へはね上げて退避させる、ことを特徴とするパチンコ機用分煙装置（１）。
【請求項２】
トルクヒンジ（３）に、水平なヒンジ軸（４）に対して垂直方向の旋回軸（９）を組み込み、旋回軸（９）を中心として分煙ボード（７）の旋回方向の動きを許容する、ことを特徴とする請求項１記載のパチンコ機用分煙装置（１）。
【請求項３】
分煙ボード（７）の取付け側の端縁部分に補強枠（１０）を固定し、ストッパ（８）に分煙ボード（７）の補強枠（１０）の下端縁部分を係り合わせる、ことを特徴とする請求項１または請求項２記載のパチンコ機用分煙装置（１）。
【請求項４】
分煙ボード（７）およびストッパ（８）の対向面に永久磁石（１１）、磁性体（１２）を組み込んで、分煙ボード（７）とストッパ（８）とを磁力により吸着させて係り合わせる、ことを特徴とする請求項１、請求項２または請求項３記載のパチンコ機用分煙装置（１）。
【発明の詳細な説明】
【技術分野】
【０００１】
本発明は、パチンコ機間に取り付ける分煙用の装置の改良に関する。
【背景技術】
【０００２】
パチンコホールにおいて、多数のパチンコ機は、前面をそろえて横方向に連続状態で配列されている。引用文献１や引用文献２に開示されているように、隣接のパチンコ機の間に分煙用の仕切り板あるいは分煙ボードが設置され、遊戯者の煙草の煙が隣の遊戯者に影響しないようになっている。
【０００３】
通常、分煙ボードなどは、パチンコ機の入れ替え作業に支障をきたさないように、島の設置枠を案内として水平方向にスライドさせ、その内部空間に押し込んで収納する内部収納仕様の装置とするか、または島の設置枠を案内として上方へスライドさせ、取り外す上方スライド・取り外し仕様の装置として構成されている。
【０００４】
上記内部収納仕様の装置では、分煙ボードを島の内部空間に収納する際に、設置枠の支柱などに干渉してしまうことがあるため、通常、島、その内部の設置枠などの改造が必要となる。また、上記上方スライド・取り外し仕様の装置では、取り外した際に、分煙ボードを一時的に別途適当な場所に保管する必要があり、保管中に分煙ボードを割ったり、傷付けることがあった。
【先行技術文献】
【特許文献】
【０００５】
【特許文献１】特開２００７−１４４１２０公報
【特許文献２】特開２００７−１８１６４２公報
【発明の開示】
【発明が解決しようとする課題】
【０００６】
したがって、本発明の課題は、前記装置の欠点を解決するために、島の設置枠に対して分煙ボードを完全に分離させず、パチンコ機の入れ替え作業に支障をきたさない位置に移動できるようにすることである。
【課題を解決するための手段】
【０００７】
上記の課題のもとに、本発明は、パチンコ機用分煙装置（１）において、トルクヒンジ（３）のヒンジ軸（４）を水平な状態として、パチンコ機間の設置枠（２）にトルクヒンジ（３）の取付けベース（５）を取付けるとともに、トルクヒンジ（３）のブラケット（６）に分煙ボード（７）の上部を垂直な状態として取付け、トルクヒンジ（３）の下方で設置枠（２）に分煙ボード（７）の下端縁部分に係り合うストッパ（８）を取付け、ストッパ（８）に分煙ボード（７）の下端縁部分を係り合わせて、パチンコ機間で分煙ボード（７）を垂直方向に保持し、パチンコ機の入れ替えの際に、ヒンジ軸（４）を中心として分煙ボード（７）を上方へはね上げて退避させるようにしている（請求項１）。
【０００８】
そして、本発明は、上記パチンコ機用分煙装置（１）において、トルクヒンジ（３）に水平なヒンジ軸（４）に対して垂直方向の旋回軸（９）を組み込み、旋回軸（９）を中心として分煙ボード（７）の旋回方向の動きを許容する構成としている（請求項２）。
【０００９】
また、本発明は、上記パチンコ機用分煙装置（１）において、分煙ボード（７）の取付け側の端縁部分に補強枠（１０）を固定し、ストッパ（８）に分煙ボード（７）の補強枠（１０）の下端縁部分を係り合わせるようにしている（請求項３）。
【００１０】
さらに、本発明は、上記パチンコ機用分煙装置（１）において、分煙ボード（７）およびストッパ（８）の対向面に永久磁石（１１）、磁性体（１２）を組み込んで、分煙ボード（７）とストッパ（８）とを磁力により吸着させて係り合わせるようにしている（請求項４）。
【発明の効果】
【００１１】
本発明によると、パチンコ機間が分煙ボード（７）で仕切られているから、各遊戯者が隣の遊戯者の喫煙による影響を受けにくく、またパチンコ機の入れ替えの際に、ヒンジ軸（４）を中心として分煙ボード（７）を回転させ、上方へはね上げ、適当な位置でトルクヒンジ（３）の保持力により係り止めなどの操作をしないまま保持できるから、分煙ボード（７）を分離して別途保管する必要がなく、パチンコ機の入れ替え作業が支障なく進められる（請求項１）。
【００１２】
トルクヒンジ（３）の垂直方向の旋回軸（９）が分煙ボード（７）の旋回を許容する構成とすれば、分煙ボード（７）を上方へはね上げる過程で、分煙ボード（７）に旋回方向の力が加わったとしても、トルクヒンジ（３）と分煙ボード（７）との取付け部分や、トルクヒンジ（３）、特にヒンジ軸（４）に無理な力がかからず、それらの破損や故障が未然に防止できるほか、必要に応じて、分煙ボード（７）の旋回角度の調節が可能となる（請求項２）。
【００１３】
また、分煙ボード（７）の補強枠（１０）の下端縁部分がストッパ（８）に係り合わせるように構成すれば、分煙ボード（７）がアクリルなどのプラスチック板であっても、その曲がりや破損が防止できる（請求項３）。
【００１４】
さらに、分煙ボード（７）とストッパ（８）とが永久磁石（１１）、磁性体（１２）との間の磁気的な吸着力により係り合うようにすると、両者の着脱が容易であり、係り合い部分の構造も簡単にできる（請求項４）。
【図面の簡単な説明】
【００１５】
【図１】本発明のパチンコ機用分煙装置の側面図である。
【図２】本発明のパチンコ機用分煙装置の平面図である。
【図３】分煙ボードとストッパとの係り合い部分の一部破断平面図である。
【図４】他の実施態様でのトルクヒンジの平面図である。
【図５】他の実施態様での分煙ボードとストッパとの磁気的な吸着部分の一部破断平面図である。
【発明を実施するための形態】
【００１６】
図１ないし図３は、本発明に係るパチンコ機用分煙装置１を示している。これらの図１ないし図３において、パチンコ機用分煙装置１は、２軸形式のトルクヒンジ３を利用した実施態様であり、トルクヒンジ３のヒンジ軸４を水平な状態として、パチンコ機間の支柱などの設置枠２にトルクヒンジ３の取付けベース５を例えばタッピングねじ１４により取付けるとともに、トルクヒンジ３のブラケット６に分煙ボード７を垂直な状態としてヒンジ軸４により固定し、トルクヒンジ３の下方で設置枠２に分煙ボード７の下端縁部分に係り合うストッパ８を取付けて、ストッパ８の溝内に分煙ボード７の下端縁部分をはまり合わせて、係り止め状態として構成されている。
【００１７】
トルクヒンジ３は、図示しないが、ブラケット６と分煙ボード７との間でヒンジ軸４を貫通させ、締めつけなどによりブラケット６と分煙ボード７とを連結しており、ヒンジ軸４の回りにおいて、皿ばね、摩擦リングやワッシャなどを備え、ヒンジ軸４を中心とする分煙ボード７の回転に一定のトルクを与えている。このため、分煙ボード７は、ヒンジ軸４を中心とする回転方向に一定のトルク作用時にのみ回るが、そのとき以外には回らず、一定のトルクによって垂直な状態を維持している。
【００１８】
分煙ボード７は、ストッパ８の溝内にはまり合っているときに、パチンコ機間で垂直方向に保持されているが、パチンコ機の入れ替えの際に、ヒンジ軸４を中心として上方へはね上げて、上空間に退避させられる。
【００１９】
この実施態様において、トルクヒンジ３は、前記のように、２軸形式のものであり、取付けベース５とブラケット６との間で旋回軸９を有している。旋回軸９は、水平なヒンジ軸４に対し垂直方向として組み込まれており、旋回軸９を中心として取付けベース５に対してブラケット６を旋回可能とし、ブラケット６および分煙ボード７の旋回方向の動きを許容するように設置枠２に取付けられている。
【００２０】
旋回軸９は、トルクヒンジ形式のものでないヒンジにより構成できるが、好ましくはトルクヒンジ３と同様に、皿ばね、摩擦リングやワッシャなどを組み込むか、あるいはゴムスリーブなどを組み込むことによって、一定のトルクの作用時にのみ、旋回方向の動きを許容するように構成される。
【００２１】
設置枠２に対する分煙ボード７の取付け側の端縁部分すなわちトルクヒンジ３の取付け部分や、ストッパ８にはまり合う部分は、例えば断面コ字型のアルミニウム製の補強枠１０により補強されている。このように、補強枠１０は、好ましくはトルクヒンジ３の取付け部分を補強するために、ヒンジ軸４に連結しており、分煙ボード７の下端部分の保護のために、ストッパ８にはまり合う部分にも存在する長さとなっている。ストッパ８は、分煙ボード７を保持するために必要に応じてボールプランジャ、挟み込み用板ばね、ボールキャチャなどの保持具１３を備えている。
【００２２】
分煙ボード７が補強枠１０とともにストッパ８にはまり合って、パチンコ機間で垂直方向に保持されている状態のときに、パチンコ機間が分煙ボード７で仕切られているから、各遊戯者は、隣の遊戯者の喫煙による煙の影響を受けにくい状態となる。この状態のときに、分煙ボード７の旋回角度は、必要に応じて、調節できる。分煙ボード７は、通常、透明なプラスチック板により製作される。
【００２３】
また、パチンコ機の入れ替えの際に、分煙ボード７があると、入れ替え作業の障害となる。そこで、作業者は、ヒンジ軸４を中心として、分煙ボード７を上方へはね上げるようにして回転させ、設置枠２から分離させないまま、適当な位置に退避させるてから、パチンコ機の入れ替えを行う。このときに、分煙ボード７がトルクヒンジ３の保持力により係り止めなどの操作をしないまま適当な位置で保持できるから、分煙ボード７を別途保管する必要がなく、パチンコ機の入れ替え作業が支障なく進められる。また、このとき分煙ボード７は、設置枠２から分離しないため、パチンコ機の入れ替え作業の前後において、それらの対応関係が変化することもなくなる。なお、はね上げ状態のときにも、分煙ボード７の旋回方向の角度の調節が必要に応じて可能となる。
【００２４】
作業者が分煙ボード７を上方へはね上げて退避させる過程で、分煙ボード７に旋回方向の力を加えたとすると、その力による動きが旋回軸９の旋回により許容されるから、トルクヒンジ３と分煙ボード７との取付け部分や、トルクヒンジ３に無理な力がかからず、それらの破損や故障が未然に防止できる。
【００２５】
さらに、分煙ボード７の取付け側の端縁部分に補強枠１０を固定し、補強枠１０の上側部分で、ヒンジ軸４に取付け、また溝付きストッパ８の溝内に分煙ボード７の補強枠１０の下端縁部分をはまり合わせるように構成すれば、分煙ボード７がアクリルなどのプラスチック板であっても、その曲がりや破損が未然に防止できる。
【００２６】
次に、図４は、本発明に係るパチンコ機用分煙装置１０の他の実施態様を示している。図４において、パチンコ機用分煙装置１０の要部のトルクヒンジ３は、１軸形式として構成されている。１軸形式のトルクヒンジ３の取付けベース５は、上からみてＬ字型であり、タッピングねじ１４などにより設置枠２に取付けられ、トルクヒンジ３のブラケット６は、タッピングねじ１５などにより分煙ボード７と一体の補強枠１０に固定されている。そして、トルクヒンジ３のヒンジ軸４は、水平な状態となって、取付けベース５とブラケット６とを回動自在に連結している。
【００２７】
図４の実施態様のパチンコ機用分煙装置１０では、構造が簡単であり、製作が容易なため、安価な装置として提供できる。もちろん、この例でも、隣接のパチンコ機間が分煙ボード７で仕切られているから、各遊戯者が隣の遊戯者の喫煙による影響を受けにくく、またパチンコ機の入れ替えの際に、分煙ボード７をヒンジ軸４を中心として回転させ、上方へはね上げて退避できるから、分煙ボード７を別途保管する必要がなく、パチンコ機の入れ替え作業が支障なく進められる。
【００２８】
図４の実施態様は、１つのトルクヒンジ３を用いて、分煙ボード７を一方の側面から、言い換えると、片持ち状態で支えている。しかし、分煙ボード７の支持は、２つのトルクヒンジ３を用い、一方のトルクヒンジ３のブラケット６を分煙ボード７の一方の側面に固定し、他方のトルクヒンジ３のブラケット６を分煙ボード７の他方の側面に固定することによって、分煙ボード７を双方の側面から、すなわち両持ち状態の支持形式とすることもできる。このような両持ち状態の支持形式によると、分煙ボード７は、１つのトルクヒンジ３による片持ちの支持形式のものより一層確実に支持でき、しかも左右の振れ方向にも安定する。
【００２９】
また、上記の２つのトルクヒンジ３は、取付けベース５の部分で一体化し、平面的に見て、コの字型の１つの取付けベース５として構成することもできる。このような構成にすると、ヒンジ軸４は、コの字型の１つの取付けベース５に掛け渡すように取付けられ、分煙ボード７は、コの字型の１つの取付けベース５の間で水平方向のヒンジ軸４により取付けられることになる。そして、コの字型の１つの取付けベース５と設置枠２との間に、必要に応じて、旋回軸９を介在させれば、分煙ボード７を旋回方向に動く構造とすることもできる。
【００３０】
以上のように、トルクヒンジ３は、水平なヒンジ軸４を有し、分煙ボード７に一定のトルクを作用させる構造のものであれば、その具体的な形状、仕様、構成などは、取付け位置や、分煙ボード７の形態に応じて選択できる。
【００３１】
つぎに、図５は、分煙ボード７およびストッパ８の対向面のうち、一方例えばストッパ８に永久磁石１１を、他方の分煙ボード７に磁性体１２をそれぞれ組み込んで、分煙ボード７とストッパ８とを磁力により吸着させて、両者を係り合わせる実施態様である。図示の例は、補強枠１０を磁性体とし、補強枠１０と磁性体１２とを兼用している。しかし、磁性体１２は、補強枠１０と別部材とし、非磁性体製の補強枠１０に固着などにより取り付けることもできる。なお、永久磁石１１と磁性体１２とは、分煙ボード７およびストッパ８に対して図示のものと逆の配置とすることもできる。このような実施態様によると、両者の着脱が容易であり、係り合い部分の構造も簡単にできる。
【産業上の利用可能性】
【００３２】
本発明は、パチンコホールにおいてパチンコ機用の分煙のために利用されるが、パチンコ機と同様な形態の遊戯機にも利用可能である。
【符号の説明】
【００３３】
１  パチンコ機用分煙装置
２  設置枠
３  トルクヒンジ
４  ヒンジ軸
５  取付けベース
６  ブラケット
７  分煙ボード
８  溝付きストッパ
９  旋回軸
１０  補強枠
１１  永久磁石
１２  磁性体
１３  保持具
１４  タッピングねじ
１５  タッピングねじ
【図１】
0005922389.tif 000002
【図２】
0005922389.tif 000003
【図３】
0005922389.tif 000004
【図４】
0005922389.tif 000005
【図５】
0005922389.tif 000006